(57)【特許請求の範囲】
【請求項１】
ディスクアクセス要求を受信可能な第１のシステムであって、前記ディスクアクセス要求の要求元のユーザ毎に当該ユーザの優先度が設定されており、前記ユーザの優先度に基づいて前記ディスクアクセス要求を処理する、第１のシステムと、
前記第１のシステムと複数の経路で接続されるとともに１以上のディスクを有する第２のシステムであって、前記経路毎にディスクアクセス要求を処理する優先度が設定されており、前記ディスクアクセス要求がいずれの経路に対して行なわれたかによって優先度を決定し、当該決定された優先度に基づいて前記ディスクアクセス要求を処理する、第２のシステムと、
を含むストレージシステムであって、
前記第１のシステムは、
ディスクアクセス要求を受信した場合、当該ディスクアクセス要求の要求元のユーザに設定された優先度を取得する取得手段と、
前記取得手段で取得した前記ユーザの優先度に対応する優先度の前記経路を選択する選択手段と、
前記選択手段で選択した経路で前記ディスクアクセス要求を前記第２のシステムに送信する送信手段と、
を備える、ストレージシステム。
【請求項２】
前記選択手段は、前記取得手段で取得した優先度が高い場合、前記ディスクアクセス要求の処理の優先度が高い経路を選択し、前記取得手段で取得した優先度が低い場合、前記ディスクアクセス要求の処理の優先度が低い経路を選択する、請求項１記載のストレージシステム。
【請求項３】
ディスクアクセス要求を受信可能な第１のシステムであって、前記ディスクアクセス要求の要求元のユーザ毎に当該ユーザの優先度が設定されており、前記ユーザの優先度に基づいて前記ディスクアクセス要求を処理する、第１のシステムと、
前記第１のシステムと複数の経路で接続されるとともに１以上のディスクを有する第２のシステムであって、前記経路毎にディスクアクセス要求を処理する優先度が設定されており、前記ディスクアクセス要求がいずれの経路に対して行なわれたかによって優先度を決定し、当該決定された優先度に基づいて前記ディスクアクセス要求を処理する、第２のシステムと、を含むストレージシステムのディスクアクセス優先度制御方法であって、
前記第１のシステムは、
ディスクアクセス要求を受信した場合、当該ディスクアクセス要求の要求元のユーザに設定された優先度を取得するステップと、
前記取得したユーザの優先度に対応する優先度の前記経路を選択するステップと、
前記選択した経路で前記ディスクアクセス要求を前記第２のシステムに送信するステップと、
を実行する、ストレージシステムのディスクアクセス優先度制御方法。
【請求項４】
前記選択するステップは、前記取得するステップで取得した優先度が高い場合、前記ディスクアクセス要求の処理の優先度が高い経路を選択し、前記取得するステップで取得した優先度が低い場合、前記ディスクアクセス要求の処理の優先度が低い経路を選択する、請求項３記載のストレージシステムのディスクアクセス優先度制御方法。
【発明の詳細な説明】
【技術分野】
【０００１】
本発明は、ストレージシステム及びストレージシステムのディスクアクセス優先度制御方法に関する。
【背景技術】
【０００２】
ＮＡＳ（Network Attached Storage）の機能とＳＡＮ（Storage Area Network）の機能とを内蔵したストレージシステムが知られている（例えば、特許文献１参照）。
【先行技術文献】
【特許文献】
【０００３】
【特許文献１】特開２００３−３１６７１３号公報
【発明の概要】
【発明が解決しようとする課題】
【０００４】
ＮＡＳシステムでは、クライアントからディスクアクセス要求があった場合、このディスクアクセス要求をディスクアクセスキューに格納し、ユーザに予め設定された優先度に応じて、ディスクアクセスキューに格納したディスクアクセス要求の処理の優先度を変更する。
【０００５】
一方、ＳＡＮストレージシステムでは、ＮＡＳシステムと接続するファイバチャネル毎にＷＷＮ（World Wide Name）を有しており、どのＷＷＮに対してディスクアクセス要求が行われるかによって優先度が決定される。
【０００６】
したがって、既述のストレージシステム全体では、ディスクアクセス要求を行ったユーザに応じて優先度制御を行うことができなかった。
【０００７】
本発明は、上記事情に鑑みてなされたものであり、その目的は、ディスクアクセス要求の処理の優先度制御が異なるシステムを複数含み構成されるストレージシステムにおいて、ユーザ毎の優先度に応じて、ディスクアクセス要求の処理の優先度を制御することができるストレージシステム及びストレージシステムのディスクアクセス優先度制御方法を提供することにある。
【課題を解決するための手段】
【０００８】
本発明は、ディスクアクセス要求を受信可能な第１のシステムと、前記第１のシステムと複数の経路で接続されるとともに１以上のディスクを有する第２のシステムであって、前記経路毎にディスクアクセス要求を処理する優先度が設定されている、第２のシステムと、を含むストレージシステムであって、前記第１のシステムがディスクアクセス要求を受信した場合、当該ディスクアクセス要求の要求元のユーザに設定された優先度を取得する取得手段と、前記取得手段で取得した優先度に対応する優先度の前記経路を選択する選択手段と、前記選択手段で選択した経路で前記ディスクアクセス要求を前記第２のシステムに送信する送信手段と、を備えるストレージシステムである。
【発明の効果】
【０００９】
本発明によると、ディスクアクセス要求の処理の優先度制御が異なるシステムを複数含み構成されるストレージシステムにおいて、ユーザ毎の優先度に応じて、ディスクアクセス要求の処理の優先度を制御することができるストレージシステム及びストレージシステムのディスクアクセス優先度制御方法を提供できる。
【図面の簡単な説明】
【００１０】
【図１】本発明の実施の形態に係るストレージシステムの構成を示す図である。
【図２】同実施の形態に係るユーザ優先度情報の一例を示す図である。
【図３】同実施の形態に係る経路情報の一例を示す図である。
【図４】同実施の形態に係るディスクアクセス要求の処理の一例を示す図である。
【図５】同実施の形態に係るディスクアクセス要求の処理の一例を示す図である。
【図６】同実施の形態に係るディスクアクセス要求の処理の一例を示す図である。
【発明を実施するための形態】
【００１１】
以下、図面を参照しながら本発明の実施の形態について説明する。
【００１２】
図１は、ストレージシステム１の構成を示す図である。図１に示すように、ストレージシステム１と、クライアント１０１，１０２とはそれぞれＬＡＮ（Local Area Network）１０３を介して接続されている。
【００１３】
ストレージシステム１は、第１のシステムであるＮＡＳ（Network Attached Storage）システム１００と、第２のシステムであるＳＡＮストレージシステム２００とを含んで構成されている。また、ＮＡＳシステム１００とＳＡＮストレージシステム２００とはファイバチャネル（ＦＣ）１０４，１０５を介して接続されている。なお、本実施の形態では、ＮＡＳシステム１００とＳＡＮストレージシステム２００とは、２本のファイバチャネル１０４，１０５を介して接続される場合で説明するが、ファイバチャネルの本数は２本に限られるものではない。
【００１４】
また、ＮＡＳシステム１００は、取得手段であるＮＦＳ（Network File System）サーバ部１１０、ユーザ認証部１２０、選択手段であるＦＣ（ファイバチャネル）経路選択部１３０、送信手段であるＳＡＮディスクアクセス部１４０を有している。また、ＳＡＮストレージシステム２００は、複数のディスク２１０を有している。
【００１５】
クライアント１０１は、ユーザＸが使用する例えばＰＣ（Personal computer）である。クライアント１０１は、所定のデータを保存するために、ＮＡＳシステム１００を介してＳＡＮストレージシステム２００内のディスク２１０にアクセスし、また、データを読み出すために、ＮＡＳシステム１００を介してＳＡＮストレージシステム２００内のディスク２１０にアクセスする。
【００１６】
なお、クライアント１０１がＮＡＳシステム１００を介してＳＡＮストレージシステム２００内のディスク２１０にディスクアクセス要求をする場合、当該ディスクアクセス要求には、要求元のクライアント１０１のユーザを識別するユーザ情報が含まれる。したがって、クライアント１０１の場合は、ディスクアクセス要求元のユーザがユーザＸであることを示すユーザ情報がディスクアクセス要求に含まれる。
【００１７】
クライアント１０２の説明は、クライアント１０２のユーザがユーザＹであることを除いて、クライアント１０１の説明と実質的に同様であるため、詳細な説明は省略する。また、本実施の形態では、２つのクライアント１０１，１０２がストレージシステム１にＬＡＮ１０３を介して接続されている場合で説明するが、これに限るものではない。
【００１８】
ＮＡＳシステム１００は、ＬＡＮ１０３に直接接続して使用可能なシステムであり、クライアント１０１，１０２からディスクアクセス要求を受信可能となっている。
【００１９】
次に、ＮＡＳシステム１００に含まれるＮＦＳサーバ部１１０、ユーザ認証部１２０、ＦＣ（ファイバチャネル）経路選択部１３０、ＳＡＮディスクアクセス部１４０について説明する。
【００２０】
ＮＦＳサーバ部１１０は、クライアント１０１，１０２からのディスクアクセス要求に基づいて、ファイルの処理に関する処理を行う。なお、ＮＦＳに関する技術については従来よりあるものと同様であるため詳細な説明を省略する。
【００２１】
また、ＮＦＳサーバ部１１０は、ディスクアクセス要求に含まれているユーザ情報を用いてユーザ認証部１２０から当該ユーザ情報に設定されたユーザ優先度情報を取得し、当該取得したユーザ優先度情報を当該ディスクアクセス要求に付加してＦＣ経路選択部１３０へ送信する。
【００２２】
ユーザ認証部１２０は、ユーザ毎に設定された優先度に関するユーザ優先度情報を記憶する。また、ユーザ認証部１２０は、ＮＦＳサーバ部１１０からユーザ情報を受信した場合、ユーザ認証を行い、認証できた場合にはユーザ優先度情報を参照し、当該ユーザ情報に設定されているユーザ優先度情報をＮＦＳサーバ部１１０へ送信する。なお、ユーザ優先度情報の内容の一例については、図２を参照して後述する。
【００２３】
また、本実施の形態では、ユーザ認証部１２０は、ユーザ優先度情報を記憶している場合で説明するが、ユーザ認証部１２０は、ネットワーク介して外部装置に記憶されたユーザ優先度情報を利用して、ユーザ情報に対応するユーザ優先度情報を取得するようにしても良い。
【００２４】
ＦＣ経路選択部１３０は、ＮＦＳサーバ部１１０からディスクアクセス要求を受信した場合、当該ディスクアクセス要求に付加されるユーザ優先度情報と、経路優先度情報とに基づいて、ユーザ優先度情報が示す優先度に対応する優先度でディスクアクセス要求が処理されるようにファイバチャネル１０４，１０５のうちいずれかのファイバチャネルを選択する。ここで、経路優先度情報は、ＳＡＮストレージシステム２００において、ファイバチャネル１０４，１０５毎に設定される、ディスクアクセス要求の処理の優先度を示す情報である。この経路優先度情報については、図３を参照して後述する。
【００２５】
また、ＦＣ経路選択部１３０は、ディスクアクセス要求を送信するファイバチャネルを選択すると、その選択したファイバチャネルを示す情報をディスクアクセス要求に付加してＳＡＮディスクアクセス部１４０へ送信する。
【００２６】
ＳＡＮディスクアクセス部１４０は、ＦＣ経路選択部１３０からディスクアクセス要求を受信した場合、そのディスクアクセス要求に付加されたファイバチャネルを示す情報に基づいて、当該ディスクアクセス要求を当該情報が示すファイバチャネルを介してＳＡＮストレージシステム２００へ送信する。
【００２７】
ＳＡＮストレージシステム２００は、ファイバチャネル１０４，１０５のいずれかを介してディスクアクセス要求を受信した場合、当該ディスクアクセス要求に基づいて、ディスク２１０にデータを記憶し、又はディスク２１０からデータを読み出す。
【００２８】
また、ＳＡＮストレージシステム２００において、ファイバチャネル１０４のＷＷＮは「ＡＡＡ」であり、ファイバチャネル１０５のＷＷＮは「ＢＢＢ」であるものとする。
【００２９】
次に、図２を参照してユーザ優先度情報の一例について説明する。図２は、ユーザ優先度情報１２１を示す図である。ユーザ優先度情報１２１は、ストレージシステムのユーザ１２１ａ毎に設定されたディスクアクセス要求を処理する優先度１２１ｂを示す情報である。
【００３０】
図２に示すように、ユーザ優先度情報１２１は、ユーザＸには、優先度「高い」が設定されており、ユーザＹには、優先度「低い」が設定されている。したがって、本実施の形態では、ユーザＸのディスクアクセス要求がユーザＹのディスクアクセス要求に比べて優先して処理されるように設定されている。
【００３１】
次に、図３を参照して経路優先度情報の一例について説明する。図３は、経路優先度情報１３１を示す図である。
【００３２】
経路優先度情報１３１は、既述のＳＡＮストレージシステム２００のＷＷＮ毎の優先度の設定に対応しており、ファイバチャネル１０４のＷＷＮ（ＡＡＡ）には、優先度「低い」が設定されており、ファイバチャネル１０５のＷＷＮ（ＢＢＢ）には、優先度「高い」が設定されている。したがって、ストレージシステム２００において、ＷＷＮ「ＢＢＢ」（ファイバチャネル１０５）を介して受信したディスクアクセス要求はＷＷＮ「ＡＡＡ」（ファイバチャネル１０４）を介して受信したディスクアクセス要求より優先的に処理されるようになっている。このように、ＷＷＮ毎に処理の優先度を変更する技術については従来よりあるものであるため、詳細な説明を省略する。
【００３３】
次に、クライアント１０１からＳＡＮストレージシステム２００にディスクアクセス要求がされた場合について図４を参照しながら説明する。
【００３４】
ユーザＸがクライアント１０１を操作、例えば、ＳＡＮストレージシステム２００のディスク２１０からデータを読み出すための操作をする。これにより、クライアント１０１からＬＡＮ１０３を介してＮＡＳシステム１００のＮＦＳサーバ部１１０にディスクアクセス要求が送信される（Ｓ１１）。
【００３５】
ＮＦＳサーバ部１１０は、ディスクアクセス要求を受信した場合、当該ディスクアクセス要求に含まれるユーザ情報、すなわち、ユーザＸを識別する情報をユーザ認証部１２０へ送信する（Ｓ１２）。
【００３６】
ユーザ認証部１２０は、ＮＦＳサーバ部１１０からユーザ情報を受信した場合、図２を参照して既述したユーザ優先度情報１２１を参照して、ユーザＸを検索し、ユーザＸに設定されている優先度「低い」をユーザ優先度情報として取得する。ユーザ認証部１２０は、このように取得したユーザ優先度情報（優先度「低い」）をＮＦＳサーバ部１１０へ送信する（Ｓ１３）。
【００３７】
ＮＦＳサーバ部１１０は、ユーザ認証部１２０から送信されたユーザ優先度情報（優先度「低い」）をディスクアクセス要求に付加してＦＣ経路選択部１３０へ送信する（Ｓ１４）。
【００３８】
ＦＣ経路選択部１３０は、ＮＦＳサーバ部１１０からユーザ優先度情報（優先度「低い」）が付加されたディスクアクセス要求を受信した場合、図３を参照して既述した経路優先度情報１３１を参照して、ユーザ優先度情報（優先度「低い」）と対応する優先度が低いＷＷＮ「ＡＡＡ」を経路として選択し、当該選択した経路を示すＷＷＮ「ＡＡＡ」をディスクアクセス要求に付加してＳＡＮディスクアクセス部１４０へ送信する（Ｓ１５）。
【００３９】
ＳＡＮディスクアクセス部１４０は、ＦＣ経路選択部１３０からＷＷＮ「ＡＡＡ」が付加されたディスクアクセス要求を受信した場合、ＷＷＮ「ＡＡＡ」を宛先としてディスクアクセス要求をＳＡＮストレージシステム２００へ送信する（Ｓ１６）。これにより、ディスクアクセス要求は、ファイバチャネル１０４を介してＳＡＮストレージシステム２００へ送信される。
【００４０】
ＳＡＮストレージシステム２００は、ファイバチャネル１０４を介してディスクアクセス要求を受信した場合、このディスクアクセス要求に基づいてディスク２１０にアクセスする。なお、このディスクアクセス要求は、優先度が低いＷＷＮ「ＡＡＡ」を宛先として受信しているため、ストレージシステム２００内で優先的に処理されない。
【００４１】
次に、クライアント１０２からＳＡＮストレージシステム２００へディスクアクセス要求がされた場合について図５を参照しながら説明する。
【００４２】
ユーザＹがクライアント１０２を操作、例えば、ＳＡＮストレージシステムのディスク２１０からデータを読み出すための操作をする。これにより、クライアント１０２からＬＡＮ１０３を介してＮＡＳシステム１００のＮＦＳサーバ部１１０にディスクアクセス要求が送信される（Ｓ２１）。
【００４３】
ＮＦＳサーバ部１１０は、ディスクアクセス要求を受信した場合、当該ディスクアクセス要求に含まれるユーザ情報、すなわち、ユーザＹを識別する情報をユーザ認証部１２０へ送信する（Ｓ２２）。
【００４４】
ユーザ認証部１２０は、ＮＦＳサーバ部１１０からユーザ情報を受信した場合、図２を参照して既述したユーザ優先度情報１２１を参照して、ユーザＹを検索し、ユーザＹに設定されている優先度「高い」をユーザ優先度情報として取得する。ユーザ認証部１２０は、このように取得したユーザ優先度情報（優先度「高い」）をＮＦＳサーバ部１１０へ送信する（Ｓ２３）。
【００４５】
ＮＦＳサーバ部１１０は、ユーザ認証部１２０から送信されたユーザ優先度情報（優先度「高い」）をディスクアクセス要求に付加してＦＣ経路選択部１３０へ送信する（Ｓ２４）。
【００４６】
ＦＣ経路選択部１３０は、ＮＦＳサーバ部１１０からユーザ優先度情報（優先度「高い」）が付加されたディスクアクセス要求を受信した場合、図３を参照して既述した経路優先度情報１３１を参照して、ユーザ優先度情報（優先度「高い」）と対応する優先度が高いＷＷＮ「ＢＢＢ」を経路として選択し、当該選択した経路を示すＷＷＮ「ＢＢＢ」をディスクアクセス要求に付加してＳＡＮディスクアクセス部１４０へ送信する（Ｓ２５）。
【００４７】
ＳＡＮディスクアクセス部１４０は、ＦＣ経路選択部１３０からＷＷＮ「ＢＢＢ」が付加されたディスクアクセス要求を受信した場合、ＷＷＮ「ＢＢＢ」を宛先としてディスクアクセス要求をＳＡＮストレージシステム２００へ送信する（Ｓ２６）。これにより、ディスクアクセス要求は、ファイバチャネル１０５を介してＳＡＮストレージシステム２００へ送信される。
【００４８】
ＳＡＮストレージシステム２００は、ファイバチャネル１０５を介してディスクアクセス要求を受信した場合、このディスクアクセス要求に基づいてディスク２１０にアクセスする。なお、このディスクアクセス要求は、優先度が高いＷＷＮ「ＢＢＢ」を宛先として受信しているため、ストレージシステム２００内で優先的に処理される。
【００４９】
次に図６を参照して、先ずユーザＸがディスクアクセス要求を行い、その直後にユーザＹがディスクアクセス要求を行った場合について説明する。
【００５０】
なお、ユーザＸが行ったディスクアクセス要求の処理の流れは図４を参照して既述したステップＳ１１からＳ１６の処理と同様であり、ユーザＹが行ったディスクアクセス要求の処理の流れは図５を参照して既述したステップＳ２１からＳ２６の処理と同様であるため、各ディスクアクセス要求の処理の説明の詳細については説明を省略する。以下では、先ずユーザＸがディスクアクセス要求を行い、その直後にユーザＹがディスクアクセス要求を行った場合に生じる作用について説明する。
【００５１】
先ず、ユーザＸが行ったディスクアクセス要求がファイバチャネル１０４を介してＳＡＮストレージシステム２００に送信される。続いて、その直後にユーザＹが行ったディスクアクセス要求がファイバチャネル１０５を介してＳＡＮストレージシステム２００に送信される。
【００５２】
ＳＡＮストレージシステム２００は、ファイバチャネル１０４を介して受信したディスクアクセス要求よりファイバチャネル１０５を介して受信したディスクアクセス要求を優先的に処理するように構成されている。このため、ＳＡＮストレージシステム２００では、ファイバチャネル１０５を介して受信したユーザＹからのディスクアクセス要求が、ファイバチャネル１０４を介して受信したユーザＸからのディスクアクセス要求よりも優先的に処理される。
【００５３】
以上説明したように、ＮＡＳシステム１００にＳＡＮストレージシステム２００を接続したストレージシステム１では、ＮＡＳシステム１００に設定されたユーザ毎の優先度に応じたディスクアクセス要求の処理をＳＡＮストレージシステム２００で行うことができる。
【００５４】
より詳細には、ユーザＸのようにディスクアクセス要求の処理の優先度が低く設定されている場合には、ＳＡＮストレージシステム２００において処理の優先度が低く設定されているファイバチャネル１０４を介してディスクアクセス要求が送信される。また、ユーザＹのようにディスクアクセス要求の処理の優先度が高く設定されている場合には、ＳＡＮストレージシステム２００において処理の優先度が高く設定されているファイバチャネル１０５を介してディスクアクセス要求がＳＡＮストレージシステム２００へ送信される。
【００５５】
さらに、ストレージシステム１は、従来よりあるＮＡＳシステムの優先度制御、及びＳＡＮストレージシステムのＷＷＮ別の優先度制御を利用して、ＳＡＮストレージシステムにおける、ユーザ毎の優先度に応じたディスクアクセス要求の処理の優先度の制御を行うことができる。
【００５６】
なお、本発明は上述の実施の形態に限定されるものではなく、その実施に際して様々な変形が可能である。
【００５７】
上記実施の形態の一部又は全部は、以下の付記のようにも記載されうるが、以下には限られない。
【００５８】
（付記１）
ディスクアクセス要求を受信可能な第１のシステムと、
前記第１のシステムと複数の経路で接続されるとともに１以上のディスクを有する第２のシステムであって、前記経路毎にディスクアクセス要求を処理する優先度が設定されている、第２のシステムと、
を含むストレージシステムであって、
前記第１のシステムがディスクアクセス要求を受信した場合、当該ディスクアクセス要求の要求元のユーザに設定された優先度を取得する取得手段と、
前記取得手段で取得した優先度に対応する優先度の前記経路を選択する選択手段と、
前記選択手段で選択した経路で前記ディスクアクセス要求を前記第２のシステムに送信する送信手段と、
を備える、ストレージシステム。
【００５９】
（付記２）
前記選択手段は、前記取得手段で取得した優先度が高い場合、前記ディスクアクセス要求の処理の優先度が高い経路を選択し、前記取得手段で取得した優先度が低い場合、前記ディスクアクセス要求の処理の優先度が低い経路を選択する、付記１記載のストレージシステム。
【００６０】
（付記３）
ディスクアクセス要求を受信可能な第１のシステムと、
前記第１のシステムと複数の経路で接続されるとともに１以上のディスクを有する第２のシステムであって、前記経路毎にディスクアクセス要求を処理する優先度が設定されている、第２のシステムと、を含むストレージシステムのディスクアクセス優先度制御方法であって、
前記第１のシステムがディスクアクセス要求を受信した場合、当該ディスクアクセス要求の要求元のユーザに設定された優先度を取得するステップと、
前記取得した優先度に対応する優先度の前記経路を選択するステップと、
前記選択した経路で前記ディスクアクセス要求を前記第２のシステムに送信するステップと、
を有する、ストレージシステムのディスクアクセス優先度制御方法。
【００６１】
（付記４）
前記選択するステップは、前記取得するステップで取得した優先度が高い場合、前記ディスクアクセス要求の処理の優先度が高い経路を選択し、前記取得するステップで取得した優先度が低い場合、前記ディスクアクセス要求の処理の優先度が低い経路を選択する、付記３記載のストレージシステムのディスクアクセス優先度制御方法。
【産業上の利用可能性】
【００６２】
ＮＡＳシステムとＳＡＮストレージシステムとが接続されたストレージシステムに広く適用可能である。
【符号の説明】
【００６３】
１・・・ストレージシステム
１００・・・ＮＡＳシステム
１０１，１０２・・・クライアント
１０３・・・ＬＡＮ
１０４，１０５・・・ファイバチャネル
１１０・・・ＮＦＳサーバ部
１２０・・・ユーザ認証部
１２１・・・ユーザ優先度情報
１３０・・・ＦＣ経路選択部
１３１・・・経路優先度情報
１４０・・・ＳＡＮディスクアクセス部
２００・・・ＳＡＮストレージシステム
２１０・・・ディスク
【図１】
0005605682.tif 000002
【図２】
0005605682.tif 000003
【図３】
0005605682.tif 000004
【図４】
0005605682.tif 000005
【図５】
0005605682.tif 000006
【図６】
0005605682.tif 000007